(57)【要約】【課題】複数の居住者間で会話をしながら、楽しく家事や身支度をこなすことができる住宅を提供する。【解決手段】住宅（１０）は、第１居室（２１）と、第１居室と同一フロアに設けられた第２居室（２１）と、第１居室から第２居室に至る第１通路（６１）と、第１居室および第１通路の双方に隣接して配置されたウォークインクローゼット（５０）とを備える。第１居室（２１）は、キッチン設備が設けられたキッチン領域（３１）と、リビング領域（３３）およびダイニング領域（３２）の少なくとも一方を有するキッチン外領域（３４）とを一体的に含む部屋である。ウォークインクローゼット（５０）は、第１居室（２１）のキッチン外領域（３４）との境界に設けられた第１出入口（５３）、および、第１通路（６１）との境界に設けられた第２出入口（５４）を有している。【選択図】図１
2019173369.tif 000002
【特許請求の範囲】
【請求項１】
キッチン設備が設けられたキッチン領域と、リビング領域およびダイニング領域の少なくとも一方を有するキッチン外領域と、を一体的に含む第１居室と、
前記第１居室と同一フロアに設けられた第２居室と、
前記第１居室から前記第２居室に至る第１通路と、
前記第１居室および前記第１通路の双方に隣接して配置されたウォークインクローゼットとを備え、
前記ウォークインクローゼットは、前記第１居室の前記キッチン外領域との境界に設けられた第１出入口、および、前記第１通路との境界に設けられた第２出入口を有している、住宅。
【請求項２】
前記第１通路には、防水パンに面する洗濯スペースおよび洗面台に面する洗面スペースのうちの少なくとも一方が設けられている、請求項１に記載の住宅。
【請求項３】
前記第１通路から離れて配置され、当該フロアの入口空間から前記第１居室に至る第２通路をさらに備える、請求項１または２に記載の住宅。
【請求項４】
前記第２居室は、前記第１通路および前記第２通路の双方に接続されており、
前記第１居室および前記第２居室と、前記第１通路および前記第２通路とを通過する回遊動線が形成されている、請求項３に記載の住宅。
【請求項５】
前記回遊動線は、前記第１居室の前記キッチン領域を通過するように形成されている、請求項４に記載の住宅。
【請求項６】
前記ウォークインクローゼットは、衣類を含む収納物を収納するための収納領域と、前記第１出入口および前記第２出入口に連なって配置される作業領域とを含み、
前記作業領域には、前記第１出入口に面して作業台が設置されている、請求項１〜５のいずれかに記載の住宅。
【請求項７】
前記第１居室は屋外空間に隣接して配置されており、
前記ウォークインクローゼットの前記第１出入口、前記第１居室の前記キッチン外領域、および、前記第１居室から前記屋外空間への出入口が、この順序で直線状に配置されている、請求項１〜６のいずれかに記載の住宅。
【請求項８】
前記ウォークインクローゼットの前記第１出入口には、建具が設けられている、請求項１〜７のいずれかに記載の住宅。
【請求項９】
請求項１〜８のいずれかに記載の住宅を１戸または複数戸備えた、集合住宅。
【発明の詳細な説明】
【技術分野】
【０００１】
本発明は、住宅に関し、特に、共働き世帯向けの住宅など、複数人の居住者向けの住宅に関する。
【背景技術】
【０００２】
従来から、住宅において家事を効率よく行うための間取りが提案されている。たとえば、特開２０００−８０８０９号公報（特許文献１）には、リビングとダイニングとキッチンとを具備したＬＤＫと同じフロアに、短時間行為ができる空間であるユースフルスペースを配置した３階建て住宅が提案されている。ユースフルスペースは、化粧台・洗濯室と、クローゼット・畳部屋とで構成され、ユースフルスペースにおいて、着替え、化粧、身支度、洗濯物たたみ片付け、入浴準備片付け等の短時間行為が行われる。
【０００３】
また、特開２０１７−６６６２９号公報（特許文献２）には、乾燥部屋で乾燥された洗濯物を仮置きするための仮置き部屋を、乾燥部屋に隣接して設けた住宅が提案されている。これにより、洗濯物の片付け作業を居住者でシェアすることが可能となる。
【先行技術文献】
【特許文献】
【０００４】
【特許文献１】特開２０００−８０８０９号公報
【特許文献２】特開２０１７−６６６２９号公報
【発明の概要】
【発明が解決しようとする課題】
【０００５】
昨今、夫婦共に外で働く共働き世帯が多くなっている。日常生活において、共働き世帯を構成する居住者は日中に外出し、夕方以降に帰宅することが多い。共働き世帯は外出時間が長いにもかかわらず、居住者数に比例して多くなる家事をこなさなければならない。特に未成年者を含む世帯や幼児を含む世帯にあっては多くの家事を効率良くこなすことが切実な課題である。また、家事あるいは身支度をこなす居住者が孤独とならず、他の居住者の近くで楽しく家事ができるような間取りが望まれる。
【０００６】
特許文献１に記載される従来の住宅の間取りにあっては、ＬＤＫとユースフルスペースが離隔して配置される間取りであるため、一居住者がユースフルスペースで洗濯物たたみ片付け等の家事をこなしている間、ＬＤＫに居る他の居住者から隔絶されてしまう。
【０００７】
また特許文献２に記載される間取りにおいても、ＬＤＫと同じフロアに洗濯物の仮置き部屋が配置されているものの、衣類を収納するクローゼットは、ＬＤＫと異なるフロアに配置された個室（寝室、子供部屋）単位で設けられている。
【０００８】
したがって、従来のように、家事や身支度をＬＤＫから離れた部屋で行う間取りの場合、他室での家事や身支度が終わった後にしか複数の居住者間で会話することができない。
【０００９】
本発明は、上記のような課題を解決するためになされたものであって、その目的は、複数の居住者間で会話をしながら、楽しく家事や身支度をこなすことができる住宅を提供することである。
【課題を解決するための手段】
【００１０】
この発明のある局面に従う住宅は、第１居室と、第１居室と同一フロアに設けられた第２居室と、第１居室から第２居室に至る第１通路と、第１居室および第１通路の双方に隣接して配置されたウォークインクローゼットとを備える。第１居室は、キッチン設備が設けられたキッチン領域と、リビング領域およびダイニング領域の少なくとも一方を有するキッチン外領域と、を一体的に含む。ウォークインクローゼットは、第１居室のキッチン外領域との境界に設けられた第１出入口、および、第１通路との境界に設けられた第２出入口を有している。
【００１１】
好ましくは、第１通路には、防水パンに面する洗濯スペースおよび洗面台に面する洗面スペースのうちの少なくとも一方が設けられている。この場合、第１通路は、洗濯室または洗面室を兼ねるため、家事動線および／または身支度動線を短くすることができる。
【００１２】
好ましくは、住宅は、第１通路から離れて配置され、当該フロアの入口空間から第１居室に至る第２通路をさらに備える。
【００１３】
好ましくは、第２居室は、第１通路および第２通路の双方に接続され、第１居室および第２居室と、第１通路および第２通路とを通過する回遊動線が形成されている。
【００１４】
回遊動線は、第１居室のキッチン領域を通過するように形成されていることが望ましい。
【００１５】
ウォークインクローゼットは、衣類を含む収納物を収納するための収納領域と、第１出入口および第２出入口に連なって配置される作業領域とを含む。作業領域には、第１出入口に面して作業台が設置されていてもよい。
【００１６】
好ましくは、第１居室は屋外空間に隣接して配置されている。この場合、ウォークインクローゼットの第１出入口、第１居室のキッチン外領域、および、第１居室から屋外空間への出入口が、この順序で直線状に配置されていることが望ましい。
【００１７】
好ましくは、ウォークインクローゼットの第１出入口には、建具が設けられている。
【００１８】
本発明の他の局面に従う集合住宅は、上記間取りを有する住宅を１戸または複数戸備えている。
【発明の効果】
【００１９】
本発明によれば、居住者は第１居室のキッチン外領域の近くで家事や身支度をこなすことができるため、他の居住者と会話をしながら、楽しく家事や身支度をこなすことができる。したがって、本発明の住宅を、共働き世帯向けの住宅として提供することができる。
【図面の簡単な説明】
【００２０】
【図１】本発明の実施の形態に係る住宅の間取りを示す平面図である。
【図２】本発明の実施の形態において、ウォークインクローゼットがリビング領域（キッチン外領域）に連通して配置された状態を模式的に示す断面図である。
【図３】本発明の実施の形態において、ウォークインクローゼットのリビング領域側の出入口に設けられた建具の一例を示す図であり、（Ａ）には建具が全開状態のときにリビング領域から見たウォークインクローゼットの内部空間が模式的に示され、（Ｂ）には建具が全閉状態のときにウォークインクローゼットの内部空間が隠された状態が模式的に示されている。
【図４】本発明の実施の形態に係る住宅における帰宅動線を概念的に示す図である。
【図５】本発明の実施の形態に係る住宅における洗濯に関する家事動線を概念的に示す図である。
【図６】本発明の実施の形態に係る集合住宅の住戸レイアウトの一例を模式的に示す平面図である。
【発明を実施するための形態】
【００２１】
本発明の実施の形態について図面を参照しながら詳細に説明する。なお、図中同一または相当部分には同一符号を付してその説明は繰返さない。
【００２２】
本実施の形態に係る住宅は、集合住宅の一住戸であるものとして説明する。集合住宅は、複数の独立した住戸を備えている。
【００２３】
図６に示されるように、集合住宅１には、たとえば１フロアに複数の住戸２ａ〜２ｄが設けられており、各住戸２ａ〜２ｄが１つの住宅を形成している。すなわち、集合住宅１は、複数の住宅を備えた１棟の建物である。集合住宅１は、複数階建ての建物（たとえばマンション）であってもよいし、１階建ての建物（たとえば長屋）であってもよい。
【００２４】
住戸２ａ〜２ｄは、一方向に延びる共用廊下９０に沿って並べられている。ここでは理解の容易のため、共用廊下９０は東西方向に延び、各住戸の玄関は北側に設けられているものと仮定する。各住戸は、外壁９１および戸境壁９２によって囲まれた屋内空間と、外壁９１よりも外側に配置された、屋外空間（半屋外空間）としてのバルコニーとを有している。各住戸は、少なくとも屋内空間の南側にバルコニーを有している。
【００２５】
図６に示した複数の住戸２ａ〜２ｄのうち、たとえば西側（紙面左端）の角住戸２ａを、本実施の形態に係る住宅１０として、以下に説明する。なお、集合住宅は、１フロアに１つの住戸のみを有していてもよい。
【００２６】
（間取り例について）
図１を参照して、本実施の形態に係る住宅１０の間取り例について説明する。なお、住宅１０の屋内空間は、たとえば、南北および西側に位置する外壁９１と、東側に位置する戸境壁９２とにより取り囲まれている。以下の説明において、南北方向を縦方向、東西方向を横方向ともいう。
【００２７】
住宅１０の屋内空間には、玄関扉１１ａを有する玄関１１と、第１居室２１と、第２居室２２と、水回り領域４０と、ウォークインクローゼット５０と、第１通路６１と、第２通路６２とが配置されている。玄関１１は、矩形状に区画された土間領域である。
【００２８】
第１居室２１は、キッチン設備が設けられたキッチン領域３１と、ダイニング領域３２と、リビング領域３３と、を一体的に含む部屋（ＬＤＫ室）である。ダイニング領域３２およびリビング領域３３は、キッチン外領域３４を構成する。キッチン設備には、調理装置や流し台を有するキッチンカウンター７１が含まれる。
【００２９】
第１居室２１は、最も広い部屋であり、家族（あるいは客人）が集い、寛ぐ公的な生活空間である。第１居室２１は、南側のバルコニー１２に沿って横方向に長く延びている。第１居室２１は、バルコニー１２への出入りを可能とするための掃出し窓３５を有している。掃出し窓３５は、たとえば、ダイニング領域３２およびリビング領域３３に面するように設けられている。
【００３０】
本実施の形態では、キッチン領域３１が第１居室２１の横方向中央部に配置されており、ダイニング領域３２とリビング領域３３との間に配置されている。ダイニング領域３２は、たとえばキッチン領域３１の東側に位置し、戸境壁９２に隣接する。リビング領域３３は、たとえばキッチン領域３１の西側に配置され、外壁９１に隣接する。
【００３１】
第２居室２２は、キッチン設備を含まない部屋であり、たとえば寝室である。第２居室２２は、北側に位置し、屋外に面する窓を有している。本実施の形態では、第２居室２２は、北西の角に設けられたバルコニー１３に隣接して設けられている。この場合、第２居室２２は、バルコニー１３への出入りを可能とするための掃出し窓３６を有している。
【００３２】
ここで、第１居室２１は、第１通路６１および第２通路６２の双方から入室できるように、第１通路６１に連通する出入口２１ａと第２通路６２に連通する出入口２１ｂとを有している。同様に、第２居室２２は、第１通路６１および第２通路６２の双方から入室できるように、第１通路６１に連通する出入口２２ａと第２通路６２に連通する出入口２２ｂとを有している。
【００３３】
第１通路６１および第２通路６２は、縦方向に延び、互いに平行に配置されている。第２通路６２は、玄関１１に交差するように玄関１１の西側に配置されている。本実施の形態において、第２通路６２は、玄関ホール６２ａを含む、廊下である。これにより、居住者は、廊下である第２通路６２から、第１居室２１および第２居室２２に出入りできる。
【００３４】
これに対し、第１通路６１は、玄関１１から離れて配置され、家事動線および身支度動線の一部が通る非居室空間である。家事動線および身支度動線については、後述する。
【００３５】
水回り領域４０は、第１通路６１と第２通路６２との間に位置し、屋内空間の中央部に配置されている。水回り領域４０は、洗面室４１と浴室４２とトイレ室４３とを含む。洗面室４１は、洗面台７２に面する洗面スペース４１ａを含むとともに、浴室４２の出入口４２ａに隣接する脱衣スペース４１ｂを含む。また、洗面室４１には、洗濯機を設置するための防水パン７３が設けられており、洗面室４１は、防水パン７３に面する洗濯スペース４１ｃをさらに含む。このように、本実施の形態における洗面室４１は、洗濯室を兼ねた洗面洗濯室である。なお、洗面室４１内において、これらのスペース４１ａ〜４１ｃは部分的に重なっていてもよい。
【００３６】
ウォークインクローゼット５０は、衣類を含む収納物を収納するための収納領域５１と、収納領域５１に隣接し、人が作業したり歩行できる作業領域５２とを有している。ウォークインクローゼット５０は、家族全員分の衣類を収納でき、また、その中で着替えや洗濯物に関する家事ができる程度の広さを有している。ウォークインクローゼット５０は、住宅１０の居住者共用のクローゼット（ファミリークローゼット）である。そのため、第２居室２２には、クローゼットが設けられていないか、最小限の収納空間２２ｃだけが設けられている。
【００３７】
ウォークインクローゼット５０の配置については、図２および図３をさらに参照して説明する。図１および図２に示されるように、ウォークインクローゼット５０は、第１居室２１のキッチン外領域３４に隣接して配置され、キッチン外領域３４と連通する。すなわち、ウォークインクローゼット５０は、第１居室２１のキッチン外領域３４との境界に設けられた出入口（第１出入口）５３を有している。
【００３８】
本実施の形態において、ウォークインクローゼット５０は、西側の外壁９１と第１通路６１との間に位置しており、キッチン外領域３４のうちリビング領域３３に隣接して配置されている。
【００３９】
図１および図３に示されるように、この出入口５３は、第１居室２１のリビング領域３３との間の間仕切壁８１に設けられた開口である。出入口５３は、第１通路６１との間の間仕切壁８２に隣接して設けられている。出入口５３の幅は、上記した第１居室２１の出入口２１ａ，２１ｂの幅よりも大きく、たとえばその２倍以上である。出入口５３は、リビング領域３３との境界部の全幅に亘って設けられていてもよい。
【００４０】
典型的には、出入口５３には開閉可能な建具５３ａが設けられる。なお、ウォークインクローゼット５０は、北側において第２居室２２と隣接していてもよいが、ウォークインクローゼット５０の北側の壁８４には開口がなく、この壁８４の全幅に亘って収納領域５１が設けられている。収納領域５１は、出入口５３横の間仕切壁８１の裏側にも設けられていてもよい。
【００４１】
収納領域５１は、複数の仕切板により区画された複数の収納空間を有している。複数の収納空間には、衣類をハンガーなどに掛けて吊るすためのポール、衣類等の収納物を置くための棚板、あるいは、衣類等の収納物を仕舞うための引き出し、などが設けられる。
【００４２】
図３（Ａ）には、建具５３ａが全開状態のときに、リビング領域３３から見たウォークインクローゼット５０の内部空間が模式的に示されている。図３（Ｂ）には、建具５３ａが全閉状態のときに、ウォークインクローゼット５０の内部空間が建具５３ａにより隠された状態が模式的に示されている。なお、図３（Ａ）においては、図面が煩雑となるのを避けるために、ウォークインクローゼット５０の背面の壁８４に沿って設けられた収納空間の図示を省略している。
【００４３】
建具５３ａが全開状態のとき、ウォークインクローゼット５０は、第１居室２１のリビング領域３３と一体的に連通する。ウォークインクローゼット５０と第１居室２１のリビング領域３３とが一体的に連通した状態が、図２に示される。
【００４４】
図２および図３に示されるように、ウォークインクローゼット５０の出入口５３は床面９３から天井面９４までの高さを有している。そのため、建具５３ａが全開状態のときには、第１居室２１とウォークインクローゼット５０とにより、１つの大きな空間が形成される。なお、ウォークインクローゼット５０の面積は、第１居室２１のリビング領域３３の面積と同程度かそれよりも少し小さくてよい。具体的には、たとえば５畳以上８畳以下の大きさであることが望ましい。
【００４５】
建具５３ａはたとえば引き戸で構成される。全閉状態においてもウォークインクローゼット５０とリビング領域３３とが完全に遮断されないように、建具５３ａは透光性を有することが望ましい。建具５３ａは、スクリーンウォールなどの間仕切開閉壁であってもよい。
【００４６】
なお、建具５３ａが全開状態の場合においても、リビング領域３３からウォークインクローゼット５０の内部空間をすっきりと見せるために、背面側の壁８４に沿う収納領域５１の前面にも、開閉可能な建具（図示せず）が設けられていてもよい。この建具は、たとえば木質の材料など、透光性を有さない材料でできていることが望ましい。
【００４７】
出入口５３に設けられる建具５３ａは、引き戸以外の開閉部材（たとえば折り戸、開き戸など）で構成されてもよい。あるいは、建具５３ａに代えて、カーテンを吊るすためのカーテンレールが天井面９４に設けられてもよい。あるいは、出入口５３には、建具５３ａが設けられず、ウォークインクローゼット５０と第１居室２１のリビング領域３３とが扉レスで常時連通していてもよい。
【００４８】
ウォークインクローゼット５０は、第１通路６１にも隣接して配置されており、第１通路６１からも出入り可能となっている。すなわち、ウォークインクローゼット５０は、第１通路６１との境界に設けられた出入口（第２出入口）５４をさらに有している。ウォークインクローゼット５０の作業領域５２は、２つの出入口５３，５４に連なって配置される。
【００４９】
この出入口５４は、第１通路６１との間の間仕切壁８２に設けられた開口である。ウォークインクローゼット５０の出入口５４の幅は、リビング側の出入口５３の幅よりも狭く、たとえば、第１居室２１の出入口２１ａ，２１ｂの幅と同等である。出入口５４には、開閉可能な建具５４ａが設けられる。建具５４ａは、たとえば引き戸、開き戸、あるいは折り戸などで構成される。建具５４ａは、透光性を有さなくてよい。
【００５０】
本実施の形態では、上述のように、互いに平行な第１通路６１および第２通路６２が、南側において第１居室２１と接続し、北側において第２居室２２と接続している。したがって、中央の水回り領域４０を取り囲むように、第１居室２１および第２居室２２と、第１通路６１および第２通路６２とを通過する回遊動線Ｍ１０が形成されている。回遊動線Ｍ１０は、時計回りにおいて、第２通路６２、第１居室２１、第１通路６１、第２居室２２を順に通り、第２通路６２に戻る動線である。
【００５１】
水回り領域４０のうち、洗面室４１は第１通路６１に沿って設けられ、浴室４２およびトイレ室４３は第２通路６２に沿って設けられている。トイレ室４３の出入口４３ａは、廊下としての第２通路６２に面して設けられる。浴室４２は、たとえばトイレ室４３の北隣に位置し、その出入口４２ａは洗面室４１に面して設けられる。
【００５２】
ここで、本実施の形態では、洗面室（洗面洗濯室）４１が第１通路６１を兼ねている。つまり、第１通路６１に、洗面スペース４１ａと、浴室４２の出入口４２ａに隣接する脱衣スペース４１ｂと、防水パン７３に面する洗濯スペース４１ｃとを含んでいる。
【００５３】
具体的には、洗面スペース４１ａは、第１居室２１の出入口２１ａに隣接して配置されている。洗面台７２は、トイレ室４３との間の間仕切壁８３側を背にして、ウォークインクローゼット５０の出入口５４の正面に配置される。脱衣スペース４１ｂは、第２居室２２の出入口２２ａに隣接して配置される。洗濯スペース４１ｃは、第１居室２１の出入口２１ａおよび第２居室２２の出入口２２ａから離れて配置されている。防水パン７３は、ウォークインクローゼット５０との間の間仕切壁８２側を背にして、ウォークインクローゼット５０の出入口５４の側方に配置される。
【００５４】
第１通路６１としての洗面室４１には、掃除機や季節家電などを収納するための収納棚４１ｄがさらに設けられていてもよい。収納棚４１ｄは、たとえば第２居室２２の出入口２２ａ付近に、脱衣スペース４１ｂに対面するように配置される。
【００５５】
なお、住宅１０の屋内空間には、キッチン設備を含まない第３居室２３がさらに設けられていてもよい。第３居室２３は、第２居室２２よりも狭い。第３居室２３は、屋外に面する窓を有していなくてもよい。第３居室２３は、戸境壁９２に沿って、玄関１１と第１居室２１のキッチン外領域３４との間に配置されている。第３居室２３は、廊下としての第２通路６２に隣接している。
【００５６】
第３居室２３の出入口２３ａは、第２通路６２側ではなく、第１居室２１のダイニング領域３２側に設けられてもよい。第３居室２３の出入口２３ａに設けられる建具は、透光性を有していることが望ましい。これにより、第３居室２３を、たとえば育児中の女性のワークルームとして利用できる。玄関１１側にも、第３居室２３への出入口２３ｂが設けられていてもよい。
【００５７】
上述のように、家族共用のウォークインクローゼット５０がリビング領域３３に連通して配置されるため、家事や身支度をこなす居住者が孤独とならず、他の居住者の近くで楽しく家事や身支度をこなすことができる。また、居住者間の会話を自然と増やすことができる。また、ウォークインクローゼット５０は、第１居室２１と第２居室２２とをつなぐ第１通路６１（洗面室４１）側にも出入口５４を有しているため、家事動線および身支度動線を含む、各種動線をシンプルに短くすることができる。
【００５８】
（身支度動線について）
図１には、身支度動線Ｍ１１，Ｍ１２が示されている。第１の身支度動線Ｍ１１は、寝室としての第２居室２２から、洗面スペース４１ａを有する第１通路６１を通り、キッチン領域３１を有する第１居室２１へと至る。このように、第２居室２２から第１居室２１へと向かう直線経路上に洗面スペース４１ａが配置されているため、起床時に、他室へ迂回しなくても洗面スペース４１ａでの洗顔等を効率的に行うことができる。
【００５９】
第２の身支度動線Ｍ１２は、第１居室２１から、ウォークインクローゼット５０を通り、第１通路６１へと抜ける。これにより、第１居室２１のキッチン領域３１での食事後に、着替え、洗顔、化粧等の身支度を効率良く行うことができる。
【００６０】
（帰宅動線について）
図４は、居住者Ｒ１の帰宅動線を概念的に示す図である。図４では、一例として、他の居住者Ｒ２が先に帰宅してキッチン領域３１で食事に関する家事をしているときに、居住者Ｒ１が後で帰宅したケースについて説明する。
【００６１】
帰宅動線Ｍ２１は、玄関ホール６２ａを含む第２通路６２、第１居室２１のキッチン領域３１およびリビング領域３３を順に通り、ウォークインクローゼット５０に至る。これにより、居住者Ｒ１は、先に帰宅して食事作りの家事をしている居住者Ｒ２と会話しながらリビング領域３３へと進むことができる。また、リビング領域３３に置きっぱなしになりがちな上着や荷物を、自発的にクローゼット５０に仕舞うことができる。
【００６２】
一般的な住宅においてクローゼットは、キッチン設備を有さない居室（たとえば寝室）ごとに個別に設けられる。これに対し、本実施の形態では、家族共用のウォークインクローゼット５０が第１居室２１に連通して設けられているため、第１居室２１から直接ウォークインクローゼット５０に入室できる。そのため、従来よりも帰宅動線Ｍ２１をシンプルに短くすることができる。すなわち、本実施の形態によれば、廊下である第２通路６２を引き返して第２居室２２へ行かなくても、第１居室２１を通り抜けてウォークインクローゼット５０に入室できる。
【００６３】
また、ウォークインクローゼット５０は第１居室２１と連通しているため、居住者Ｒ１がウォークインクローゼット５０で部屋着に着替えたりしている間も、居住者Ｒ２との会話を継続することができる。したがって、第１居室２１のキッチン領域３１で食事に関する家事をこなしている居住者Ｒ２は、孤独とならず、楽しみながら家事をこなすことができる。なお、食事に関する家事には、食事作りの家事、食器および食事の運搬に関する家事、および、食器洗いの家事、などが含まれる。
【００６４】
また、ウォークインクローゼット５０の作業領域５２が第１居室２１と連通しているため、作業領域５２内で着替え等をしている居住者Ｒ１の視界に、居住者Ｒ２の家事の様子が入る。そのため、居住者Ｒ１に食事に関する家事への参加を促すことも可能となる。
【００６５】
また、動線Ｍ２２に示されるように、出入口５４を介して、ウォークインクローゼット５０から洗面室４１を兼ねた第１通路６１へと抜けることもできる。したがって、居住者Ｒ１は、ウォークインクローゼット５０で着替えが済んだ後すぐに、洗濯に関する家事に取り掛かることもできる。
【００６６】
ここで、キッチンカウンター７１は、間仕切壁８５から離れて独立して配置されるアイランドタイプであることが望ましい。間仕切壁８５は、水回り領域４０と第１居室２１とを仕切り、２つの出入口２１ａ，２１ｂ間を横方向に延びる壁である。この間仕切壁８５に沿って、冷蔵庫を設置するための冷蔵庫区画３１ｂ、および、食品や食器を収納するための収納棚３１ｃが設けられる。
【００６７】
キッチンカウンター７１は、横方向に長く、南向きに配置される。これにより、帰宅動線Ｍ２１が、キッチンカウンター７１に面するキッチン作業スペース３１ａを通るように形成される。したがって、帰宅途中に購入した食品等を、ウォークインクローゼット５０へ向かう途中で冷蔵庫や収納棚３１ｃに収納できる。
【００６８】
（洗濯に関する家事動線について）
図５は、洗濯に関する家事動線を概念的に示す図である。洗濯に関する家事には、汚れた衣類を洗濯機付近の洗濯スペースまで運ぶ家事、洗濯機に汚れた衣類を入れて衣類を洗濯する家事、洗濯機から洗濯した衣類を取り出す家事、洗濯物（濡れた衣類）を運搬する家事、洗濯物（濡れた衣類）を干す家事、干して乾いた衣類を取り込む家事、乾いた衣類を小さく畳む家事、および、畳んだ衣類を片付ける（収納する）家事などが含まれる。
【００６９】
図５には、衣類の洗濯が済んだ後の家事動線Ｍ３１が示されている。家事動線Ｍ３１は、第１通路６１（洗面室４１）の洗濯スペース４１ｃから、出入口５４を介してウォークインクローゼット５０に至る。
【００７０】
共働き家庭においては、洗濯に関する家事に要する時間および手間を少なくするために、室内干しが多用される。本実施の形態では、ウォークインクローゼット５０の作業領域５２に物干し竿７４が設置され、ウォークインクローゼット５０には乾燥設備（図示せず）が設置されている。つまり、ウォークインクローゼット５０は、乾燥設備を備えた乾燥室としても機能する。図３（Ａ）に示されるように、物干し竿７４は、たとえば天井から吊り下げられた物干し設備７４ｃに取り付けられている。
【００７１】
家事動線Ｍ３１は、洗濯スペース４１ｃを有する第１通路６１とウォークインクローゼット５０との間の出入口５４を通過する。そのため、居住者Ｒ１は、洗濯スペース４１ｃにおいて洗濯機から洗濯した衣類を取り出した後、濡れた洗濯物を、最短距離で物干し竿７４が設置されたウォークインクローゼット５０へと運ぶことができる。
【００７２】
なお、ウォークインクローゼット５０の第１通路６１側の間仕切壁８２の一部分には凹部８２ａが形成されており、この凹部８２ａに防水パン７３が設置されていてもよい。凹部８２ａは、たとえば、ウォークインクローゼット５０の背面側の壁８４と間仕切壁８２とが交差する角部に形成されている。ウォークインクローゼット５０の出入口５４は凹部８２ａの真横に配置されていることが望ましい。この場合、家事動線Ｍ３１が単純なＬ字状となるため、洗濯物を運搬する家事の負担がさらに軽減される。
【００７３】
物干し竿７４は、リビング領域３３側の出入口５３に面する位置に設けられていることが望ましい。この場合、居住者Ｒ１は、リビング領域３３において寛いでいる居住者Ｒ２のすぐ近くで、居住者Ｒ２が視界に入った状態で洗濯物を干すことができるため、孤独とならず、楽しく家事をこなすことができる。また逆に、居住者Ｒ１が洗濯物を干す家事が、リビング領域３３において寛いでいる居住者Ｒ２の視界に入るため、居住者Ｒ２に洗濯に関する家事への参加を促すことができる。
【００７４】
また、物干し竿７４がリビング領域３３との境界位置付近（つまり出入口５３付近）に配置される場合、リビング領域３３側から洗濯物を干すこともできる。したがって、ウォークインクローゼット５０の作業領域５２がそれほど広くない場合でも、洗濯物を干す家事を複数の居住者Ｒ１，Ｒ２で協力し合うことができる。
【００７５】
今般の浴室４２には、洗濯物を乾燥できる乾燥設備が設置されることが多いが、浴室乾燥中には入浴できないなどの制約があるため、乾燥設備を利用できる時間帯は限られている。これに対し、本実施の形態では、ウォークインクローゼット５０に乾燥設備が搭載されているため、時間帯を気にすることなく洗濯物を干すことができる。
【００７６】
さらに、物干し竿７４がウォークインクローゼット５０内に設置されるため、干して乾いた衣類を取り込む家事、および、乾いた衣類を小さく畳む家事の双方を、その場で行うことができる。また、畳んだ衣類をウォークインクローゼット５０内の収納領域５１にそのまま仕舞うことができるため、畳んだ衣類を他室に運搬する家事を省くことができる。このように、本実施の形態によれば、ウォークインクローゼット５０内において、洗濯に関する複数の家事を効率的に終わらせることができる。
【００７７】
ウォークインクローゼット５０の作業領域５２には、図２および図３（Ａ）にも示されるように、作業台７５が設置されていることも望ましい。作業台７５は、リビング領域３３との境界位置付近に設けられる。作業台７５は、リビング領域３３に対面するように、すなわち出入口５３に面して配置される。この場合、作業台７５において洗濯物を畳んだり、アイロンを掛けたりすることも可能となるため、より効率的に洗濯に関する家事をこなすことができる。
【００７８】
なお、休日の天気の良い日などにおいては、ウォークインクローゼット５０を通り抜けて、バルコニー１２に設置された物干し竿７６に洗濯物を干すことも想定される。この場合の家事動線が動線Ｍ３２として示されている。家事動線Ｍ３２は、ウォークインクローゼット５０から、第１居室２１のリビング領域３３を通過して、バルコニー１２に至る。
【００７９】
本実施の形態では、ウォークインクローゼット５０の出入口５３、リビング領域３３、および、バルコニー１２への出入口（掃出し窓３５）が、この順序で縦方向に直線状に配置されている。そのため、家事動線Ｍ３２を最短経路とすることができる（図２参照）。また、この場合においても、洗濯物を干す家事が、リビング領域３３で寛いでいる居住者Ｒ２の視界に入る。また、逆も同様である。そのため、居住者Ｒ１，Ｒ２間での会話や家事の協力が促進される。
【００８０】
あるいは、たとえば来客時に洗濯物を屋外に干したい場合には、第１通路６１の洗濯スペース４１ｃから第２居室２２を通り抜けて、北西のバルコニー１３に設置された物干し竿７７に洗濯物を干すこともできる。この場合の家事動線が、動線Ｍ３３として示される。
【００８１】
家事動線Ｍ３３は、第１通路６１から、出入口２２ａを介して第２居室２２を通り、バルコニー１３に至る。このように、第１通路６１は、第１居室２１および第２居室２２の双方に接続されているため、どちらのバルコニー１２，１３を利用する場合であっても、移動距離を短くできる。
【００８２】
また、第１通路６１は、出入口２１ａを介して第１居室２１に直接接続されているため、図５の動線Ｍ４１で示されるように、（ウォークインクローゼット５０を介さずに）この出入口２１ａからキッチン領域３１と洗濯スペース４１ｃとの間を移動できる。したがって、食事に関する家事および洗濯に関する家事を、少ない移動距離で効率良く行うことができる。
【００８３】
以上説明したように、本実施の形態によれば、第１居室２１のリビング領域３３とウォークインクローゼット５０とが完全に分離されず、緩やかに仕切られるだけであるため、居住者はリビング領域３３の近くで家事や身支度をこなすことができる。したがって、複数の居住者間（夫婦間）で会話をしながら、楽しく家事や身支度をこなすことができる。
【００８４】
また、洗面室４１が第１通路６１を兼ねているため、本実施の形態によれば、身支度および家事（特に洗濯物に関する家事）を効率的にこなすことができる。
【００８５】
また、第１通路６１が第１居室２１と第２居室２２とを直接接続しているため、外出時、帰宅時、および、トイレ室４３を利用するとき以外は、第２通路６２を通ることなく過ごすことができる。すなわち、食事に関する家事および洗濯に関する家事を含む日常の家事動線、ならびに、身支度動線が、廊下である第２通路６２を通らない。したがって、朝晩の限られた時間内で、効率良く各種家事および身支度を行うことが可能となる。
【００８６】
また、小さい子供がいる家庭においては、第２居室２２で寝ている子供の近くで、洗濯物に関する家事や身支度をこなすことができるため、子供の様子を確認するために廊下を行き来する必要がなくなる。
【００８７】
また、家族共用のウォークインクローゼット５０が第２居室２２から独立して配置されているため、第２居室２２で子供が寝た後でも、畳んだ衣類（洗濯物）を片付けることができる。これにより、畳んだ衣類がリビング領域３３に置きっぱなしになることがなくなるため、共働き家庭であっても、リビング領域３３をすっきりと片付いた空間とすることができる。
【００８８】
（変形例）
本実施の形態では、第１通路６１には、洗面スペース４１ａ、脱衣スペース４１ｂ、および洗濯スペース４１ｃの全てが設けられることとしたが、これらのうちの少なくとも１つが設けられていればよい。なお、第１通路６１は、防水パン７３に面する洗濯スペース４１ｃを含むことが望ましい。つまり、第１通路６１が洗濯室として機能し、洗濯物に関する家事動線の一部が第１通路６１を通ることが望ましい。あるいは、第１通路６１は、洗面台７２に面する洗面スペース４１ａを含むことも望ましい。つまり、第１通路６１が洗面室として機能し、身支度動線の一部が第１通路６１を通ることも望ましい。
【００８９】
また、ウォークインクローゼット５０は、第１居室２１のリビング領域３３と連通することとしたが、ダイニング領域３２と連通するように配置されてもよい。あるいは、本実施の形態では、ダイニング領域３２とリビング領域３３とが、キッチン領域３１により（横方向に）分離されることとしたが、ダイニング領域３２およびリビング領域３３が（横方向または縦方向に）互いに隣接して一体的に設けられてもよい。この場合、ダイニング領域３２およびリビング領域３３を一体的に含むキッチン外領域とウォークインクローゼット５０とが、連通していてもよい。
【００９０】
また、本実施の形態に係る住宅１０は、集合住宅１の一住戸であることとしたが、限定的ではなく、戸建て住宅にも上述のような間取りを適用可能である。上述の間取りを戸建て住宅に適用する場合、屋外空間は庭またはテラスであってもよい。また、玄関１１に代えて階段室が配置されてもよい。つまり、第２通路は、第１居室２１等が配置されたフロアへの入口空間（たとえば玄関ホールまたは階段の踊り場）から第１居室２１に至る廊下であればよい。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１  集合住宅、２ａ〜２ｄ  住戸、１０  住宅、１１  玄関、１２，１３  バルコニー、２１  第１居室、２２  第２居室、２３  第３居室、３１  キッチン領域、３２  ダイニング領域、３３  リビング領域、３４  キッチン外領域、４０  水回り領域、４１  洗面室、４１ａ  洗面スペース、４１ｂ  脱衣スペース、４１ｃ  洗濯スペース、４２  浴室、４３  トイレ室、５０  ウォークインクローゼット、５１  収納領域、５２  作業領域、５３ａ，５４ａ  建具、６１  第１通路、６２  第２通路、７１  キッチンカウンター、７２  洗面台、７３  防水パン、７５  作業台、９０  共用廊下、９１  外壁、９２  戸境壁。
【図１】
2019173369.tif 000003
【図２】
2019173369.tif 000004
【図３】
2019173369.tif 000005
【図４】
2019173369.tif 000006
【図５】
2019173369.tif 000007
【図６】
2019173369.tif 000008